(57)【特許請求の範囲】
【請求項１】
破風板に、該破風板と外壁パネルの屋外側の面とにわたして取り付けられるわたし材を予め備えさせると共に、該破風板の背面側に取付け金物を予め備えさせた軒先ユニットと、
屋外側の面に予め掛合用金物が取り付けられた外壁パネルと
を用い、
前記外壁パネルの建方を行った後、軒先ユニットのわたし材を外壁パネルの掛合用金物に掛合させた状態にして取付け金物をボルトで外壁パネルの上面側又は／及び背面側に接合することにより、前記軒先ユニットを建物の側に取り付けると共に該軒先ユニットのわたし材を外壁面に取り付けることを特徴とする軒先の施工方法。
【請求項２】
建物の側に取り付けられる前記軒先ユニットが、その破風板に樋受けブラケットを予め備えている請求項１に記載の軒先の施工方法。
【請求項３】
建物の側に取り付けられる前記軒先ユニットが、その破風板に軒樋を予め備えている請求項１に記載の軒先の施工方法。
【発明の詳細な説明】
【０００１】
【発明の属する技術分野】
本発明は、軒先の施工方法、軒先構造及び軒先ユニットに関する。
【０００２】
【従来の技術】
住宅等の建物の軒先の施工は、従来、建築現場において、垂木の先端面に破風板を釘打ち等で取り付けた後、この破風板の外面側に、換気破風水切りを介して、樋受けブラケットをネジ等で取り付け、しかる後、換気破風水切りを外壁の屋外側の面にビス打ちなどで取り付けると共に、樋ブラケットに軒樋を取り付ける、などというようにして行われている。
【０００３】
そして、垂木への破風板の取付けや、破風板への換気破風水切りや樋受けブラケット等の取付け、また、外壁の屋外側の面への換気破風水切りの取付けなどは、いずれも、屋外側からのアクセスが必要であり、そのため、屋外に足場を組み、この足場を使用して屋外から行われている。
【０００４】
【発明が解決しようとする課題】
しかしながら、都心等のように、建物が密集して建てられていると、建築しようとする建物のすぐそばに隣家の建物が迫ったりし、屋外側に足場を組むことができなかったり、工事の作業空間すらまともに確保できず、そのため、上記のような多くの取付け工程を含む軒先の工事を、現場において作業姿勢良く充分な視界を確保して作業性良く進めていくということが非常に難しく、軒先工事が困難をきわめる非常に厄介な工事になってしまうという問題があった。
【０００５】
本発明は、上記のような問題点に鑑み、建物が密集するような場合であっても、軒先工事を作業効率良く容易に進めていくことができる軒先の施工方法、軒先構造及び軒先ユニットを提供することを課題とする。
【０００６】
【課題を解決するための手段】
上記の課題は、破風板に樋受けブラケットを予め備えさせた軒先ユニットを用い、この軒先ユニットを建物の側に取り付けることを特徴とする軒先の施工方法によって解決される。また、破風板に軒樋を予め備えさせた軒先ユニットを用い、この軒先ユニットを建物の側に取り付けることを特徴とする軒先の施工方法によって解決される。また、破風板に、これと外壁パネルの屋外側の面とにわたして取り付けられるわたし材を予め備えさせた軒先ユニットを用い、この軒先ユニットを建物の側に取り付けることを特徴とする軒先の施工方法によって解決される。また、破風板に、樋受けブラケット、軒樋、及び、破風板と外壁パネルの屋外側の面とにわたして取り付けられるわたし材の少なくとも一つが備えられていることを特徴とする軒先ユニットによっても解決される。
【０００７】
上記の軒先施工方法では、破風板に予め樋受けブラケットや軒樋、わたし材が備えられた軒先ユニットを用いて、これを建物の側に取り付けるようにしているから、現場での軒先部材の取付け工数を少なくすることができ、建物が密集するような場合であっても、軒先工事を作業効率良く容易に進めていくことができる。
【０００８】
また、軒先ユニットに予めわたし材が備えられている場合において、屋外側の面に予め掛合用金物が取り付けられた外壁パネルを用い、この外壁パネルの建方を行った後、軒先ユニットを建物の側に取り付ける際に、軒先ユニットのわたし材を外壁パネルの掛合用金物に掛合させて外壁面に取り付けるとよい。
【０００９】
この施工方法では、換気破風水切り等のわたし材は、軒先ユニットに予め備えられているので、軒先ユニットを建物の側に取り付けることで同時に破風板の側に取り付けることができる。このことは、上記の軒先ユニットにおいて、破風板と外壁パネルの屋外側の面とにわたして取り付けられるわたし材が備えられている軒先ユニットによっても、同様に奏される。
【００１０】
しかも、外壁パネルの屋外側の面には掛合用の取付け金物が備えられているので、わたし材は、この金物に掛合させることで、外壁パネルの屋外側の面に取り付けることができ、わたし材の取付けを容易に行うことができる。
【００１１】
加えて、外壁は外壁パネルを用いて構成されており、そのため、掛合用金物は建方前の外壁パネルに予め取り付けておくことができるから、建物に取り付けられた外壁パネルに掛合用金物を取り付ける必要がなく、建築現場で掛合用金物を屋外側から外壁面に横向きで取り付ける厄介な作業をなくすことができる。
【００１２】
このことは、破風板と外壁パネルの屋外側の面とにわたして取り付けられるわたし材が備えられ、このわたし材は、外壁パネルの屋外側の面に取り付けられている掛合用金物に掛合されることで外壁パネルの外壁面の側に取り付けられていることを特徴とする軒先構造によっても、同様に奏される。
【００１３】
上記の施工方法において、前記軒先ユニットの破風板の背面側に取付け金物を予め備えさせ、この取付け金物を外壁パネルの上面側又は／及び背面側に接合することで、軒先ユニットを建物の側に取り付けるようにするのもよい。
【００１４】
この施工方法では、軒先ユニットに備えられた取付け金物を、屋内又は屋外の側から下向きの姿勢で、又は／及び、屋内の側から横向きの姿勢で外壁パネルに取り付けることができ、そのため、軒先ユニットの破風板を屋外の側から垂木の端面に横向きで取り付けていく厄介な取付け作業を少なくしあるいはなくすことができて、隣家の建物がすぐそばまで迫っているような場合であっても、取付け作業を容易にかつ作業性良く進めていくことができる。
【００１５】
このことは、破風板の背面側に取付け金物が連結され、この取付け金物が外壁パネルの上面側又は／及び背面側に接合されることで、軒先ユニットが建物の側に取り付けられていることを特徴とする軒先構造によっても、同様に奏される。また、上記の軒先ユニットにおいて、破風板の背面側に、外壁パネルの上面側又は／及び背面側に接合される取付け金物が備えられている軒先ユニットによっても、同様に奏される。
【００１６】
【発明の実施の形態】
次に、本発明の実施形態を図面に基づいて説明する。
【００１７】
図１乃至図４に示す実施形態の軒先施工方法において、１は軒先ユニット、２は、この軒先ユニット１の取り付けられる建物である。この建物２において、３は軒桁、４は母屋、５は垂木、６は野地板、７は外壁パネルである。
【００１８】
軒先ユニット１は、予め工場などで製作されたもので、そのなかには、ユニット構成部材として、破風板８と、樋受けブラケット９と、軒樋１０と、わたし材としての換気破風水切り１１と、同じくわたし材としての防火ダンパー１２とが含まれている。
【００１９】
この軒先ユニット１において、破風板８は、破風下地８ａと、その外面側に取り付けられた珪酸カルシウム板８ｂとからなり、この珪酸カルシウム板８ｂの外面側に、換気破風水切り１１と防火ダンパー１２とが取り付けられ、更に外側から、樋受けブラケット９が取り付けられ、この樋受けブラケット９に軒樋１０が取り付けられている。
【００２０】
そして、この軒先ユニット１には更に、その背面側に、これを建物２の側に取り付ける取付け金物１３が備えられている。即ち、破風下地８ａにはその背面部から雄ネジ棒１４が背後方向に突出するように予め取り付けられており、取付け金物１３は、Ｌ形金物からなっていて、その垂直辺部１３ａに上記の雄ネジ棒１４が通され、雄ネジ棒１４に螺合されている対のナット１５，１５で雄ネジ棒１４に固着されている。
【００２１】
なお、雄ネジ棒１４上において、対のナット１５，１５の締付け位置を変更することにより、破風下地８ａと取付け金物１３との間隔寸法を大小調整することができるようになっている。
【００２２】
そして、このＬ形金物１３の水平辺部１３ｂは破風下地８ａとは反対の側に向けられており、この水平辺部１３ｂに設けられている図示しないネジ通孔にボルト１６を通し、このボルト１６で軒先ユニット１を建物の側に取り付けることができるようになされている。なお、このボルト１６は、軒先ユニット１を建物２に取り付ける際に用意すればよく、軒先ユニット１に予め備えられていなくてもよい。
【００２３】
そして、建物２の側には、上記のような構造の軒先ユニット１との関係において、次のような構造を備えている。
【００２４】
即ち、まず、軒先ユニット１に備えられているＬ形取付け金物１３との関係において、外壁パネル７の上面のフレーム７ａにはナット１８が仕込まれている。
【００２５】
また、外壁パネル７の屋外側の面には、軒先ユニット１の換気破風水切り１１との関係において、外壁パネル７の上部の屋外側の面部にコ形の第１掛合用金物１９がビス打ち等で上開き状に取り付けられている。また、同じく外壁パネル７の屋外側の面には、軒先ユニット１に備えられている防火ダンパー１２との関係において、外壁パネル７の上部の屋外側の面部にＩ形の第２掛合用金物２０が上開き状にビス打ち等で取り付けられている。
【００２６】
これら第１、第２の掛合用金物１９，２０は、外壁が、パネル７で構成されていることにより、この外壁パネル７を建物に取り付ける前の段階、例えば工場などの段階で予め外壁パネル７に取り付けておくようにすればよい。それにより、この掛合用金物１９，２０の取り付けられた外壁パネル７を建物の躯体に取り付けるだけで、上記の第１，第２の掛合用金物１９，２０は、外壁パネル７の上部の屋外側の面部に設置され、現場でのこれら掛合用金物１９，２０の屋外側からの厄介な取付け作業を省略することができる。
【００２７】
軒先工事は、上記の軒先ユニット１を用いて次のようにして行うことができる。即ち、図４に示すように、作業者２２が建物２の小屋裏２３に入り、隣り合う垂木５の間から上半身を外に出し、そこで、軒先ユニット１を手に持ち、取付けを行っていく。なお、軒先ユニット１の受け渡しは、屋外から吊って作業者２２に渡すようにしてもよいし、垂木５や野地板６の上に予め仮置きしておいたものを作業者２２が取り出すというようにしてもよいし、小屋裏２３側から垂木５の間を通じて外に出すというようにしてもよい。
【００２８】
軒先ユニット１の取付けは、図２及び図３に順次に示すように、軒先ユニット１の換気破風水切り１１の下縁部と、防火ダンパー１２の下縁部を、外壁パネル７に備えられている第１，第２の掛合用金物１９，２０に上から差し込んで掛合させ、しかる後、Ｌ型金物１３の水平辺部１３ｂに通したボルト１６を、外壁パネル７の上面に設けられているナット１８に螺合させ締め付ける。ボルト１６は下向きに締め付けていけばよいので、作業者２２は、小屋裏２３側から自然な姿勢をとりつつ容易にこのボルト締めを行っていくことができる。軒先ユニット１の破風下地８ａと垂木５の位置関係に狂いがあるような場合は、対のナット１５，１５の締付け位置を調節してその狂いを直せばよい。こうして、軒先ユニット１が建物２に取り付けられる。なお、併せて、軒先ユニット１の破風下地８ａを垂木５に釘打ち等しておくようにするのもよい。２５は隣家の界壁である。
【００２９】
軒先ユニット１の取付け後は、図３に示すように、軒先側の屋根材である広小舞２４等の取付けを行う。この軒先側屋根材２４については、軒先ユニット１にユニット構成品の一つとして予め組み込んでおくようにするのもよい。
【００３０】
このように、上記のような施工方法によれば、破風板８や樋受けブラケット９、軒樋１０、換気破風水切り１１、防火ダンパー１２等の予め組み込まれた軒先ユニット１を用い、これを建物２の側に取り付けるようにするだけで、軒先工事を終えることができ、現場での軒先工事の工程を少なくすることができて、建物が密集するような場合であっても、軒先工事を作業効率良く容易に進めていくことができる。しかも、軒先ユニット１の取付けについても、換気破風水切り１１の下縁と防火ダンパー１２の下縁をそれぞれ第１、第２の掛合用金物１９，２０に差し込んで掛合させ、ボルト１６を締め付け、また、必要に応じて破風下地８ａを垂木５に釘打ちするだけでよく、軒先ユニット１の取付けも容易に行うことができる。
【００３１】
図５は、施工例を示したもので、一般部用軒先ユニット１ａと、出隅用のＬ形の軒先ユニット１ｂとが用いられており、各軒先ユニット１ａ，１ｂにおいて、換気破風水切り１１や防火ダンパー１２よりも珪酸カルシウム板８ｂが側方に突出され、破風下地８ａが更にそれよりも側方に突出され、各軒先ユニット１の破風下地８ａを垂木５に釘打ち等できるようになっている。なお、ユニット１ａ，１ｂ間は、同図に示すように、破風下地８ａや珪酸カルシウム板８ｂ、防火ダンパー１２、換気破風水切り１１、樋受けブラケット９等を個別に取り付けるようにしてもよいし、この部分をも含めて軒先ユニットでの取付けとしてもよい。
【００３２】
以上に、本発明の実施形態を示したが、本発明はこれに限られるものではなく、発明思想を逸脱しない範囲で、各種の変更が可能である。例えば、軒樋１０は、図５の一般部用の軒先ユニット１に示すように、軒先ユニットから省略されてもよいし、あるいは、樋受けブラケット９を省略して軒樋を破風板に直接備えさせた構造の軒先ユニットに構成されていてもよいし、あるいは、軒先ユニット１から軒樋１０や樋受けブラケット９が省略され、破風板８に防火ダンパー１２や換気破風水切り１１等のわたし材が予め備えられた構造の軒先ユニットに構成されてもよい。また、軒先ユニット１を建物２の側に取り付けるための金物として、外壁パネル７の背面側に接合される金物が用いられてよく、外壁パネル７の背面側への取付けなら、軒先ユニットを小屋裏側から容易に取り付けることができる。また、上記の実施形態では、わたし材として、換気破風水切り１１や防火ダンパー１２が用いられている場合を示しているが、その他のものであってもよく、要は、破風板と外壁パネルの屋外側の面とにわたして取り付けられるようなわたし材であればよい。
【００３３】
【発明の効果】
本発明は、以上のとおりのものであるから、建物が密集するような場合であっても、軒先工事を作業効率良く容易に進めていくことができる。
【図面の簡単な説明】
【図１】実施形態の施工方法に用いる軒先ユニットの横断面図である。
【図２】軒先ユニットの取付け方法を示す軒先部分の横断面である。
【図３】軒先ユニットを建物の側に取り付けた状態の横断面図である。
【図４】作業者による軒先ユニットの施工例を示す横断面図である。
【図５】建物の軒先部分の施工状態を示す斜視図である。
【符号の説明】
１…軒先ユニット
２…建物
７…外壁パネル
８…破風板
９…樋受けブラケット
１０…軒樋
１１…換気破風水切り（わたし材）
１２…防火ダンパー（わたし材）
１３…取付け金物
１８…ナット
１９…掛合用金物
２０…掛合用金物
【図１】
0004745570.tif 000002
【図２】
0004745570.tif 000003
【図３】
0004745570.tif 000004
【図４】
0004745570.tif 000005
【図５】
0004745570.tif 000006